(57)【要約】  １つ又は複数の広告を生成する方法及びシステムが提供される。本方法は、広告を出稿する要求を広告主から通信ネットワークを介して受信することを含む。広告主は、当該広告主が広告することを希望している１つ又は複数の製品及び／又はサービスのカテゴリを選択し、次いで、広告される１つ又は複数の製品及び／又はサービスに関する情報を生成する。この情報が照合されて１次広告が定義される。その後、データベースから２次広告が抽出されて１次広告に付加されることで、組み合わせ広告を定義する。組み合わせ広告は、典型的には移動体通信装置であるユーザ装置に送信される。
2017513163.tif 000002
【特許請求の範囲】
【請求項１】
１つ又は複数の広告を生成する方法であって、上記方法は、
１つ又は複数の通信ネットワークを介して１つ又は複数の広告主から１つ又は複数の広告を出稿する１つ又は複数の要求を受信することと、
１つ又は複数の広告主に、当該広告主が広告することを希望している１つ又は複数の製品及び／又はサービスのカテゴリを選択させることと、
広告される１つ又は複数の製品及び／又はサービスに関する情報を生成するように、１つ又は複数の通信ネットワークを介して１つ又は複数の広告主に促すことと、
広告される１つ又は複数の製品及び／又はサービスに関する情報を１つ又は複数の通信ネットワークを介して受信することと、
上記情報を照合して、日付、広告主の場所、広告主の連絡先の詳細事項、及び広告される製品及び／又はサービスのうちの１つ又は複数を含む１次広告を定義することと、
１つ又は複数のデータベースから２次広告を抽出することと、
上記１次広告に上記２次広告を付加することで、組み合わせ広告を定義することと、
１つ又は複数の組み合わせ広告を１つ又は複数の装置に送信することとを含む方法。
【請求項２】
上記１つ又は複数の広告主に、当該広告主が広告することを希望している１つ又は複数の製品及び／又はサービスのカテゴリを選択させるステップは、上記１つ又は複数の広告主に、当該１つ又は複数の広告主による選択のために複数のカテゴリからなるマルチレベル集合を提示することを含む請求項１記載の方法。
【請求項３】
上記広告される１つ又は複数の製品及び／又はサービスに関する情報を生成するように上記１つ又は複数の広告主に促すことは、上記１つ又は複数の広告の１つ又は複数の本文及び／又はタイトルを提供するように上記１つ又は複数の広告主に促すステップを含む請求項１記載の方法。
【請求項４】
上記２次広告は、製品又はサービスのカテゴリ、及び／又は、検索されている製品及び／又はサービスに関連及び／又は関係している請求項１記載の方法。
【請求項５】
上記１次広告に上記２次広告を付加するステップは、上記１次広告のヘッダ、フッタ、もしくは中間、又は任意の適切な場所に上記２次広告を付加するステップを含む請求項１記載の方法。
【請求項６】
上記方法は、１つ又は複数の１次広告を、承認のために１つ又は複数の広告主へ送信することを含み、承認を受信したとき、上記方法は、上記１つ又は複数の広告を、後の検索のために１つ又は複数のデータベースに格納することを含む請求項１記載の方法。
【請求項７】
上記１つ又は複数の１次広告に上記２次広告を付加した後、上記方法は、上記１つ又は複数の組み合わせ広告を、承認のために上記１つ又は複数の広告主へ送信することを含み、承認を受信したとき、上記方法は、上記１つ又は複数の組み合わせ広告を、後の検索のために上記１つ又は複数のデータベースに格納することを含む請求項１記載の方法。
【請求項８】
上記方法は、
上記１つ又は複数の広告主に、上記２次広告に関するさらなる情報を要求させることと、
上記１つ又は複数の広告主が使用してもよいさらなる詳細事項及び／又は連絡先の詳細事項、及び／又は、さらなる詳細事項を含む１つ又は複数のウェブサイトへの１つ又は複数のＵＲＬリンクを含む、１つ又は複数のメッセージを送信することとを含む請求項１記載の方法。
【請求項９】
上記方法は、上記１つ又は複数の広告主が、上記方法を実行するホストに登録されているか否かを決定するステップを含み、
上記１つ又は複数の広告主が登録されていない場合、上記方法は、上記１つ又は複数の広告主を登録することを含み、
上記登録することは、
１つ又は複数の導入メッセージ及び／又は関連した規約及び条件を提示し、上記規約及び条件を受諾するように上記１つ又は複数の広告主に促すことと、
上記広告主の場所を決定することと、
１つ又は複数の装置の１つ又は複数のオペレータによる広告の出稿が許可されることを保証するための後の使用のために、１つ又は複数のＰＩＮを設定するように１つ又は複数の広告主に促すことと、
将来に広告を出稿する際に自動的に使用できる、１つ又は複数の広告主の支払い情報を取り込むこととのうちのいずれか１つ又は複数を含む請求項１記載の方法。
【請求項１０】
上記１つ又は複数のＰＩＮは、上記１つ又は複数の広告主の生物測定情報である請求項９記載の方法。
【請求項１１】
上記１つ又は複数の広告に対する１つ又は複数の改善を自動的に提案することを含む請求項１記載の方法。
【請求項１２】
上記１つ又は複数の１次広告が許容される長さより短い場合、上記２次広告のサイズを自動的に増大する請求項１記載の方法。
【請求項１３】
上記１つ又は複数の広告に１つ又は複数の参照コードを割り当てることをさらに含み、これにより、上記１つ又は複数の広告主は、システムにおいて当該広告主の１つ又は複数の広告を迅速に位置決め可能になる請求項１記載の方法。
【請求項１４】
ＵＳＳＤ（Unstructured Supplementary Service Data）、ＳＭＳ（Short Message Service）、及びＭＭＳ（Multimedia Message Service）のうちのいずれか又は組み合わせを含む移動体技術を用いて実現される請求項１記載の方法。
【請求項１５】
１つ又は複数の広告された製品及び／又はサービスを検索する方法であって、上記方法は、
１つ又は複数の通信ネットワークを介して、１つ又は複数のユーザに関連付けられた１つ又は複数の装置から、１つ又は複数の広告を検索する１つ又は複数の要求を受信することと、
１つ又は複数のユーザに、当該ユーザが検索することを希望している少なくとも１つ又は複数の製品及び／又はサービスのカテゴリを選択させることと、
検索される上記１つ又は複数の製品及び／又はサービスに関する情報を入力するように、１つ又は複数の通信ネットワークを介して１つ又は複数のユーザに促すことと、
検索される１つ又は複数の製品及び／又はサービスに関する情報を上記１つ又は複数の通信ネットワークを介して受信することと、
製品及び／又はサービスと一致するものを１つ又は複数データベースにおいて検索することと、
上記情報を照合して、１つ又は複数の一致する製品及び／又はサービスから構成される１つ又は複数の１次広告を定義することと、
１つ又は複数のデータベースから２次広告を抽出することと、
上記１つ又は複数の１次広告に上記２次広告を付加することで、１つ又は複数の組み合わせ広告を定義することと、
１つ又は複数の１次広告及び２次広告を１つ又は複数の装置に送信することとを含む方法。
【請求項１６】
上記１つ又は複数の１次広告に上記２次広告を付加するステップは、上記１つ又は複数の１次広告のヘッダ、フッタ、もしくは中間、又は任意の適切な場所に上記２次広告を付加するステップを含む請求項１５記載の方法。
【請求項１７】
上記１つ又は複数の組み合わせ広告を上記１つ又は複数のユーザへ送信することと、
上記１つ又は複数のユーザに、当該ユーザが特に関心を有している１つ又は複数の一致する製品及び／又はサービスを選択させることとを含む請求項１５記載の方法。
【請求項１８】
上記１つ又は複数の一致する製品及び／又はサービスのうちの選択された１つについて、上記方法は、上記データベースから、広告の日付、広告主の場所、広告主の連絡先の詳細事項、及び／又は広告されている製品及び／又はサービスのうちの１つ又は複数を含む、上記選択された製品及び／又はサービスに関するさらなる情報を抽出することをさらに含む請求項１５記載の方法。
【請求項１９】
上記方法は、
上記１つ又は複数のデータベースから抽出された情報を照合して、１つ又は複数の１次広告を定義することと、
上記１つ又は複数の１次広告に上記２次広告を付加することで、１つ又は複数の組み合わせ広告を定義することと、
上記１つ又は複数の組み合わせ広告を上記１つ又は複数のユーザへ送信することとをさらに含む請求項１５記載の方法。
【請求項２０】
上記１つ又は複数の１次広告に上記２次広告を付加するステップは、上記１次広告のヘッダ、フッタ、もしくは中間、又は任意の適切な場所に上記２次広告を付加するステップを含む請求項１９記載の方法。
【請求項２１】
上記２次広告は、製品又はサービスのカテゴリ、及び／又は、検索されている製品及び／又はサービスに関連及び／又は関係している請求項１５記載の方法。
【請求項２２】
上記検索される製品及び／又はサービスに関する情報を入力するように上記１つ又は複数のユーザに促すことは、上記１つ又は複数のユーザに、すべての広告された製品及び／又はサービスを検索させることを含む請求項１５記載の方法。
【請求項２３】
上記１つ又は複数のユーザがすべての広告された製品及び／又はサービスを検索することを希望する場合、上記２次広告は上記１つ又は複数データベースからランダムに選択される請求項１５記載の方法。
【請求項２４】
上記方法は、上記１つ又は複数のユーザに、上記２次広告に関するさらなる情報を要求させることをさらに含み、
上記要求させることは、上記１つ又は複数のユーザが使用してもよいさらなる詳細事項及び／又は連絡先の詳細事項、及び／又は、さらなる詳細事項を含む１つ又は複数のウェブサイトへの１つ又は複数のＵＲＬリンクを含む、１つ又は複数のメッセージを送信することを含む請求項１５記載の方法。
【請求項２５】
１つ又は複数のユーザの１つ又は複数の電子メールアドレスに１つ又は複数の１次広告及び２次広告を送信することをさらに含む請求項１５記載の方法。
【請求項２６】
上記１つ又は複数の１次広告及び２次広告を１つ又は複数のユーザ言語で１つ又は複数の装置に送信することをさらに含む請求項１５記載の方法。
【請求項２７】
１つ又は複数の１次広告及び２次広告は、１つ又は複数の装置において実行される１つ又は複数のアプリケーションに送信される請求項１５記載の方法。
【請求項２８】
上記１つ又は複数の１次広告及び２次広告を、１つ又は複数の電子メール及び／又はソーシャルネットワークのアプリケーションを介して、１つ又は複数の装置に送信することをさらに含む請求項１５記載の方法。
【請求項２９】
上記１次広告に異なる２次広告を付加することで、異なる組み合わせ広告を定義することと、
上記異なる組み合わせ広告を上記装置に送信することとをさらに含む請求項１５記載の方法。
【請求項３０】
上記１つ又は複数のユーザが場所を変更する場合、上記異なる２次広告が上記１次広告に付加される請求項２９記載の方法。
【請求項３１】
一致する製品及び／又はサービスが見つからない場合、上記１つ又は複数の要求を格納し、
１つ又は複数の製品及び／又はサービスが将来の時点において利用可能になる場合、１つ又は複数の適切な広告を２次広告とともに任意の適切な通信手段を介して１つ又は複数のユーザに送信する請求項１５記載の方法。
【請求項３２】
１つ又は複数のユーザに関連付けられた１つ又は複数の装置から受信される要求は、ＵＳＳＤを介して受信される請求項１５記載の方法。
【請求項３３】
上記１つ又は複数の組み合わせ広告を上記１つ又は複数のユーザ装置に表示することをさらに含む請求項１５記載の方法。
【請求項３４】
１つ又は複数の広告を生成するシステムであって、上記システムは、
複数の２次広告を格納する１つ又は複数データベースと、
１つ又は複数のデータベースにアクセスする１つ又は複数のプロセッサとを備え、
上記プロセッサは、
１つ又は複数の通信ネットワークを介して、１つ又は複数の広告主に関連付けられた１つ又は複数の装置から、１つ又は複数の広告を出稿する１つ又は複数の要求をすることと、
上記１つ又は複数の通信ネットワークを介して、上記１つ又は複数の広告主に、当該広告主が広告することを希望している１つ又は複数の製品及び／又はサービスのカテゴリを選択させることと、
広告される上記１つ又は複数の製品及び／又はサービスに関する情報を生成するように、上記１つ又は複数の通信ネットワークを介して１つ又は複数の広告主に促すことと、
広告される上記１つ又は複数の製品及び／又はサービスに関する情報を上記１つ又は複数の通信ネットワークを介して受信することと、
上記情報を照合して、日付、広告主の場所、広告主の連絡先の詳細事項、及び／又は広告される製品及び／又はサービスのうちの１つ又は複数を含む１次広告を定義することと、
上記１つ又は複数のデータベースから２次広告を抽出することと、
上記１つ又は複数の１次広告に上記２次広告を付加することで、１つ又は複数の組み合わせ広告を定義することとを行うように構成されるシステム。
【請求項３５】
１つ又は複数の広告された製品及び／又はサービスを検索するシステムであって、上記システムは、
複数の広告された製品及び／又はサービスと、複数の２次広告とを格納する１つ又は複数データベースと、
上記１つ又は複数のデータベースにアクセスする１つ又は複数のプロセッサとを備え、
上記プロセッサは、
１つ又は複数の通信ネットワークを介して、１つ又は複数のユーザに関連付けられた１つ又は複数の装置から、１つ又は複数の広告を検索する１つ又は複数の要求を受信することと、
上記１つ又は複数のユーザによる選択のために複数の場所からなるマルチレベル集合を上記１つ又は複数のユーザに提示することにより、上記１つ又は複数ユーザの場所を決定することと、
上記１つ又は複数のユーザに、当該ユーザが検索することを希望している１つ又は複数の製品及び／又はサービスのカテゴリを選択させることと、
検索される上記１つ又は複数の製品及び／又はサービスに関する情報を入力するように、上記１つ又は複数の通信ネットワークを介して上記１つ又は複数のユーザに促すことと、
検索される上記１つ又は複数の製品及び／又はサービスに関する情報を上記１つ又は複数の通信ネットワークを介して受信することと、
製品及び／又はサービスと一致するものを上記１つ又は複数データベースにおいて検索することと、
上記情報を照合して、１つの一致する製品及び／又はサービスから構成される１つ又は複数の１次広告を定義することと、
上記１つ又は複数のデータベースから２次広告を抽出することと、
上記１つ又は複数の１次広告に上記２次広告を付加することで、１つ又は複数の組み合わせ広告を定義することとを行うように構成されるシステム。
【発明の詳細な説明】
【技術分野】
【０００１】
本発明は、典型的には移動体装置において、組み合わせ広告を作成して管理する方法及びシステムに関する。特に、本発明は、ＵＳＳＤ（Unstructured Supplementary Service Data）、ＳＭＳ（Short Message Service）、及びＭＭＳ（Multimedia Message Service）のような従来の移動体技術をいずれも用いる、製品又はサービスに関する広告出稿処理、あるいは、製品又はサービスに関する広告検索処理のいずれかにおいて、組み合わせ広告（combined advertisement）を生成して提示する方法及びシステムに関する。
【背景技術】
【０００２】
組み合わせ広告は、出稿／検索される製品又はサービスに関する情報（すなわち１次広告）と、さらに、もう１つの製品又はサービスに関する情報（すなわち２次広告）とを含み、理想的には２次広告は１次広告の主題に関連又は関係している。
【発明の概要】
【発明が解決しようとする課題】
【０００３】
本発明は、移動体装置を用いて組み合わせ広告を作成して管理する方法及びシステムを提供する。
【課題を解決するための手段】
【０００４】
本発明の第１の態様によれば、広告を生成する方法が提供される。
上記方法は、
１つ又は複数の通信ネットワークを介して１つ又は複数の広告主から１つ又は複数の広告を出稿する１つ又は複数の要求を受信することと、
１つ又は複数の広告主に、当該広告主が広告することを希望している１つ又は複数の製品及び／又はサービスのカテゴリを選択させることと、
広告される１つ又は複数の製品及び／又はサービスに関する情報を生成するように、１つ又は複数の通信ネットワークを介して１つ又は複数の広告主に促すことと、
広告される１つ又は複数の製品及び／又はサービスに関する情報を１つ又は複数の通信ネットワークを介して受信することと、
上記情報を照合して、日付、広告主の場所、広告主の連絡先の詳細事項、及び広告される製品及び／又はサービスのうちの１つ又は複数を含む１次広告を定義することと、
１つ又は複数のデータベースから２次広告を抽出することと、
上記１次広告に上記２次広告を付加することで、組み合わせ広告を定義することと、
１つ又は複数の組み合わせ広告を１つ又は複数の装置に送信することとを含む。
【０００５】
一実施形態では、上記広告主に、当該広告主が広告することを希望している製品又はサービスのカテゴリを選択させるステップは、上記広告主に、当該広告主による選択のために複数のカテゴリからなるマルチレベル集合を提示することを含む。
【０００６】
一実施形態では、上記１つ又は複数の広告主に、当該広告主が広告することを希望している１つ又は複数の製品及び／又はサービスのカテゴリを選択させるステップは、上記１つ又は複数の広告主に、当該１つ又は複数の広告主による選択のために複数のカテゴリからなるマルチレベル集合を提示することを含む。
【０００７】
一実施形態では、上記広告される１つ又は複数の製品及び／又はサービスに関する情報を生成するように上記１つ又は複数の広告主に促すことは、上記１つ又は複数の広告の１つ又は複数の本文及び／又はタイトルを提供するように上記１つ又は複数の広告主に促すステップを含む。
【０００８】
一実施形態では、上記２次広告は、製品及び／又はサービスのカテゴリ、及び／又は、検索されている製品及び／又はサービスに関連又は関係している。
【０００９】
一実施形態では、上記１次広告に上記２次広告を付加するステップは、上記１次広告のフッタ（すなわち終了部）に上記２次広告を付加するステップを含む。
【００１０】
一実施形態では、上記１次広告に上記２次広告を付加した後、上記方法は、上記組み合わせ広告を、承認のために上記広告主へ送信することを含み、承認を受信したとき、上記方法は、上記組み合わせ広告を、後の検索のために上記データベースに格納することを含む。
【００１１】
一実施形態では、１つ又は複数の１次広告は、承認のために１つ又は複数の広告主へ送信され、承認を受信したとき、上記方法は、上記１つ又は複数の広告を、後の検索のために１つ又は複数のデータベースに格納することを含む。
【００１２】
一実施形態では、上記１つ又は複数の１次広告に上記２次広告を付加した後、上記方法は、上記１つ又は複数の組み合わせ広告を、承認のために上記１つ又は複数の広告主へ送信することを含み、承認を受信したとき、上記方法は、上記１つ又は複数の組み合わせ広告を、後の検索のために上記１つ又は複数のデータベースに格納することを含む。
【００１３】
一実施形態では、上記１つ又は複数の広告主には、上記２次広告に関するさらなる情報が要求され、上記１つ又は複数の広告主が使用してもよいさらなる詳細事項及び／又は連絡先の詳細事項、及び／又は、さらなる詳細事項を含む１つ又は複数のウェブサイトへの１つ又は複数のＵＲＬリンクを含む、１つ又は複数のメッセージを送信する。
【００１４】
一実施形態では、上記方法は、上記広告主が、上記方法を実行するホストに登録されているか否かを決定するステップを含む。
上記広告主が登録されていない場合、上記方法は、上記広告主を登録することを含み、
上記登録することは、
１つ又は複数の導入メッセージ及び／又は関連した規約及び条件を提示し、上記規約及び用語を受諾するように上記１つ又は複数の広告主に促すことと、
上記広告主の場所を決定することと、
１つ又は複数の装置の１つ又は複数のオペレータによる広告の出稿が許可されることを保証するための後の使用のために、１つ又は複数のＰＩＮを設定するように１つ又は複数の広告主に促すことと、
将来に広告を出稿する際に自動的に使用できる、１つ又は複数の広告主の支払い情報を取り込むこととのうちのいずれか１つ又は複数を含む。
【００１５】
一実施形態では、上記１つ又は複数のＰＩＮは、上記１つ又は複数の広告主の生物測定情報である。
【００１６】
一実施形態では、上記方法は、上記１つ又は複数の広告の１つ又は複数の改善を自動的に提案することを含む。
【００１７】
一実施形態では、上記１つ又は複数の１次広告が許容される長さより短い場合、上記２次広告のサイズを自動的に増大する。
【００１８】
一実施形態では、上記方法は、上記１つ又は複数の広告に１つ又は複数の参照コードを割り当てることを含み、これにより、上記１つ又は複数の広告主は、システムにおいて当該広告主の１つ又は複数の広告を迅速に位置決め可能になる。
【００１９】
一実施形態では、移動体技術は、ＵＳＳＤ（Unstructured Supplementary Service Data）、ＳＭＳ（Short Message Service）、及びＭＭＳ（Multimedia Message Service）のうちのいずれか又は組み合わせを含む。
【００２０】
本発明の第２の態様によれば、広告された製品又はサービスを検索する方法が提供される。
上記方法は、
１つ又は複数の通信ネットワークを介して、１つ又は複数のユーザに関連付けられた１つ又は複数の装置から、１つ又は複数の広告を検索する１つ又は複数の要求を受信することと、
１つ又は複数のユーザに、当該ユーザが検索することを希望している少なくとも１つ又は複数の製品及び／又はサービスのカテゴリを選択させることと、
検索される上記１つ又は複数の製品及び／又はサービスに関する情報を入力するように、１つ又は複数の通信ネットワークを介して１つ又は複数のユーザに促すことと、
検索される１つ又は複数の製品及び／又はサービスに関する情報を上記１つ又は複数の通信ネットワークを介して受信することと、
製品及び／又はサービスと一致するものを１つ又は複数データベースにおいて検索することと、
上記情報を照合して、１つ又は複数の一致する製品及び／又はサービスから構成される１つ又は複数の１次広告を定義することと、
１つ又は複数のデータベースから２次広告を抽出することと、
上記１つ又は複数の１次広告に上記２次広告を付加することで、１つ又は複数の組み合わせ広告を定義することと、
１つ又は複数の１次広告及び２次広告を１つ又は複数の装置に送信することとを含む。
【００２１】
一実施形態では、上記１つ又は複数の１次広告に上記２次広告を付加するステップは、上記１つ又は複数の１次広告のヘッダ、フッタ、もしくは中間、又は任意の適切な場所に上記２次広告を付加するステップを含む。
【００２２】
一実施形態では、上記方法は、
上記１つ又は複数の組み合わせ広告を上記１つ又は複数のユーザへ送信することと、
上記１つ又は複数のユーザに、当該ユーザが特に関心を有している１つ又は複数の一致する製品及び／又はサービスを選択させることとを含む。
【００２３】
一実施形態では、上記方法は、上記データベースから、広告の日付、広告主の場所、広告主の連絡先の詳細事項、及び／又は広告されている製品及び／又はサービスのうちの１つ又は複数を含む、上記選択された製品及び／又はサービスに関するさらなる情報を抽出することをさらに含む。
【００２４】
一実施形態では、上記方法は、
上記１つ又は複数のデータベースから抽出された情報を照合して、１つ又は複数の１次広告を定義することと、
上記１次広告に上記２次広告を付加することで、１つ又は複数の組み合わせ広告を定義することと、
上記１つ又は複数の組み合わせ広告を加入者へ送信することとを含む。
【００２５】
一実施形態では、上記２次広告は、製品又はサービスのカテゴリ、及び／又は、検索されている製品及び／又はサービスに関連及び／又は関係している。
【００２６】
一実施形態では、上記検索される製品及び／又はサービスに関する情報を入力するように上記１つ又は複数のユーザに促すことは、上記１つ又は複数のユーザに、すべての広告された製品及び／又はサービスを検索させることを含む。
【００２７】
一実施形態では、上記１つ又は複数のユーザがすべての広告された製品及び／又はサービスを検索することを希望する場合、上記２次広告は上記１つ又は複数データベースからランダムに選択される。
【００２８】
一実施形態では、上記方法は、上記１つ又は複数のユーザに、上記２次広告に関するさらなる情報を要求させることをさらに含み、
上記要求させることは、上記１つ又は複数のユーザが使用してもよいさらなる詳細事項及び／又は連絡先の詳細事項、及び／又は、さらなる詳細事項を含む１つ又は複数のウェブサイトへの１つ又は複数のＵＲＬリンクを含む、１つ又は複数のメッセージを送信することを含む。
【００２９】
一実施形態では、上記方法は、１つ又は複数のユーザの１つ又は複数の電子メールアドレスに１つ又は複数の１次広告及び２次広告を送信することをさらに含む。
【００３０】
一実施形態では、上記方法は、上記１つ又は複数の１次広告及び２次広告を１つ又は複数のユーザ言語で１つ又は複数の装置に送信することをさらに含む。
【００３１】
一実施形態では、１つ又は複数の１次広告及び２次広告は、１つ又は複数の装置において実行される１つ又は複数のアプリケーションに送信される。
【００３２】
一実施形態では、上記方法は、上記１つ又は複数の１次広告及び２次広告を、１つ又は複数の電子メール及び／又はソーシャルネットワークのアプリケーションを介して、１つ又は複数の装置に送信することをさらに含む。
【００３３】
一実施形態では、上記方法は、
上記１次広告に異なる２次広告を付加することで、異なる組み合わせ広告を定義することと、
上記異なる組み合わせ広告を上記装置に送信することとをさらに含む。
【００３４】
一実施形態では、上記１つ又は複数のユーザが場所を変更する場合、上記異なる２次広告が上記１次広告に付加される。
【００３５】
一実施形態では、一致する製品及び／又はサービスが見つからない場合、上記１つ又は複数の要求を格納し、１つ又は複数の製品及び／又はサービスが将来の時点において利用可能になる場合、１つ又は複数の適切な広告を２次広告とともに任意の適切な通信手段を介して１つ又は複数のユーザに送信する。
【００３６】
一実施形態では、上記方法は、１つ又は複数のユーザに関連付けられた１つ又は複数の装置から受信された要求は、ＵＳＳＤを介して受信されることをさらに含む。
【００３７】
一実施形態では、上記１つ又は複数の組み合わせ広告を上記１つ又は複数のユーザ装置に表示することをさらに含む。
【００３８】
本発明の第３の態様によれば、広告を生成するシステムが提供される。
上記システムは、
複数の２次広告を格納する１つ又は複数データベースと、
１つ又は複数のデータベースにアクセスする１つ又は複数のプロセッサとを含む。
上記プロセッサは、
１つ又は複数の通信ネットワークを介して、１つ又は複数の広告主に関連付けられた１つ又は複数の装置から、１つ又は複数の広告を出稿する１つ又は複数の要求をすることと、
上記１つ又は複数の通信ネットワークを介して、上記１つ又は複数の広告主に、当該広告主が広告することを希望している１つ又は複数の製品及び／又はサービスのカテゴリを選択させることと、
広告される上記１つ又は複数の製品及び／又はサービスに関する情報を生成するように、上記１つ又は複数の通信ネットワークを介して１つ又は複数の広告主に促すことと、
広告される上記１つ又は複数の製品及び／又はサービスに関する情報を上記１つ又は複数の通信ネットワークを介して受信することと、
上記情報を照合して、日付、広告主の場所、広告主の連絡先の詳細事項、及び／又は広告される製品及び／又はサービスのうちの１つ又は複数を含む１次広告を定義することと、
上記１つ又は複数のデータベースから２次広告を抽出することと、
上記１つ又は複数の１次広告に上記２次広告を付加することで、１つ又は複数の組み合わせ広告を定義することとを行うように構成される。
【００３９】
本発明の第４の態様によれば、広告された製品又はサービスを検索するシステムが提供される。
上記システムは、
複数の広告された製品及び／又はサービスと、複数の２次広告とを格納する１つ又は複数データベースと、
上記１つ又は複数のデータベースにアクセスする１つ又は複数のプロセッサとを備える。
上記プロセッサは、
１つ又は複数の通信ネットワークを介して、１つ又は複数のユーザに関連付けられた１つ又は複数の装置から、１つ又は複数の広告を検索する１つ又は複数の要求を受信することと、
上記１つ又は複数のユーザによる選択のために複数の場所からなるマルチレベル集合を上記１つ又は複数のユーザに提示することにより、上記１つ又は複数ユーザの場所を決定することと、
上記１つ又は複数のユーザに、当該ユーザが検索することを希望している１つ又は複数の製品及び／又はサービスのカテゴリを選択させることと、
検索される上記１つ又は複数の製品及び／又はサービスに関する情報を入力するように、上記１つ又は複数の通信ネットワークを介して上記１つ又は複数のユーザに促すことと、
検索される上記１つ又は複数の製品及び／又はサービスに関する情報を上記１つ又は複数の通信ネットワークを介して受信することと、
製品及び／又はサービスと一致するものを上記１つ又は複数データベースにおいて検索することと、
上記情報を照合して、１つの一致する製品及び／又はサービスから構成される１つ又は複数の１次広告を定義することと、
上記１つ又は複数のデータベースから２次広告を抽出することと、
上記１つ又は複数の１次広告に上記２次広告を付加することで、１つ又は複数の組み合わせ広告を定義することとを行うように構成される。
【図面の簡単な説明】
【００４０】
【図１】本発明の第１の実施形態に係る、広告の生成のためにシステムの上位概念の概略図を示す。
【図２】本発明の第２の実施形態に係る、図１のシステムを用いて実装可能な広告を生成する方法を表すフローチャートを示す。
【図３】本発明の第３の実施形態に係る、広告の検索のためにシステムの上位概念の概略図を示す。
【図４】本発明の第４の実施形態に係る、図３のシステムを用いて実装可能な広告を検索する方法を表すフローチャートを示す。
【発明を実施するための形態】
【００４１】
本発明のこれらの特徴及び他の特徴は、以下で添付図面を参照して説明される一例の説明から明らかになる。
【００４２】
まず図２を参照して、移動体装置及び関連する移動体技術を好ましくは用いる、広告を生成する方法を示す。広告は、製品及び／又はサービス及び／又は情報のためのものであってもよいことが認識される。
【００４３】
本方法は、ブロック１に記載のように、広告主に関連付けられた移動体装置から、広告を出稿する電子的な要求を受信することを含む。
【００４４】
移動体装置は、携帯電話機又はタブレット装置又は他の任意の適切な移動体技術であってもよい。
【００４５】
以下に詳述する多数の中間ステップの後、本方法は、ブロック８に記載のように、広告主に、当該広告主が広告することを希望している製品又はサービスのカテゴリを選択させる。このブロックに示すように、このステップは、広告主による選択のために複数のカテゴリからなるマルチレベル集合を広告主に提示することで行われてもよい。
【００４６】
広告主は、典型的には、彼らの携帯電話機のユーザインターフェースを用いて情報を入力する。ユーザインターフェースは、携帯電話機のキーボード及び／又は音声認識ソフトウェアを含んでもよいが、これらに限定されない。
【００４７】
その後、広告主は、広告される製品又はサービスに関する情報を生成するように促される。一実施形態では、このステップは、（ブロック１２に記載するように）広告のタイトルを提供するように広告主に促すステップと、次に、（ブロック１３に記載するように）広告の本文を提供するように広告主に促すステップとを含む。
【００４８】
広告される製品又はサービスに関する情報を受信した後に、本方法は、この情報を照合して１次広告を定義することを含む。１次広告は、ブロック１４に示すように、日付、広告主の場所、広告主の移動体装置の電話番号、広告されている製品又はサービス、及び関連コストのうちの１つ以上を含む。
【００４９】
さらに、本方法は、データベースから２次広告を抽出し、１次広告に２次広告を付加することで、組み合わせ広告を定義することを含む。ブロック１４はさらにこれらのステップの結果を図示して説明し、また、２次広告が１次広告のフッタ（すなわち終了部）に付加されてもよいと述べている。
【００５０】
一実施形態では、
２次広告は、製品又はサービスのカテゴリ、及び／又は、広告されている製品又はサービスに関連又は関係している。このような、この場合にはＪｅｅｐ（登録商標）車両が広告されていて、したがって、２次広告、すなわち「新たなＦＯＲＤ車を見つけてください」もまた車両に関連している。
【００５１】
一実施形態では、１次広告に２次広告を付加した後に、本方法は、ブロック１４にも記載のように、承認のために組み合わせ広告を広告主に送信することを含む。承認を受信したとき、本方法は、ブロック１５に記載のように、組み合わせ広告を、後の検索のためにデータベースに格納することを含む。
【００５２】
図示していないが、本方法は、広告主に、２次広告に関するさらなる情報を要求させることを含み、要求させることは、広告主が使用してもよいさらなる事項及び／又は連絡先の詳細事項、及び／又は、さらなる詳細事項を含むウェブサイトへのＵＲＬリンクを含む、メッセージを送信することを含む。
【００５３】
２次広告は、１次広告の先頭部、中間、もしくは終了部、又は、ユーザに表示されたとき任意の適切な場所にあってもよい。
【００５４】
広告が表示される場合、その要約がシステムによって自動的に生成されてもよい。
【００５５】
多数の中間ステップに戻ると、本方法は、ブロック２に示すように、広告主が、本方法を実行するホストに登録されているか否かを決定することを含む。これは、ユーザが登録されることを要求せずに実施可能であることが認識される。
【００５６】
広告主が登録されている場合、ＰＩＮが要求され（ブロック９）、正しい場合、本方法は上述したブロック８に進む。ＰＩＮが正しくない場合、エラーメッセージが返信される（ブロック１１）。
【００５７】
一方、広告主が登録されていない場合、本方法は広告主を登録することを含む。登録することは、導入メッセージと、関連する規約及び条件を提示し（ブロック３）、広告主に規約及び条件を受諾するように促すこと（ブロック４）、広告主の場所を決定すること（ブロック６）、ここで、決定することは、広告主に、当該広告主による選択のために複数の場所からなるマルチレベル集合を提示することを含んでもよく、移動体装置のオペレータによる広告の出稿が許可されることを保証するための後の使用のために、ＰＩＮ（ブロック７）を設定するように広告主に促すことのうちのいずれか１つ又は複数を含む。
【００５８】
さらに、登録の際に、例えばユーザのクレジットカードの詳細事項を含む、ユーザの支払い情報を取り込んでもよく、これは、将来に広告を出稿する際に自動的に使用されてもよい。
【００５９】
一実施形態では、移動体技術は、ＵＳＳＤ（Unstructured Supplementary Service Data）、ＳＭＳ（Short Message Service）、及びＭＭＳ（Multimedia Message Service）のうちのいずれか又は組み合わせを含む。従って、本発明は、処理をより簡単にするために、ＳＭＳ及びＵＳＳＤのハイブリッドを使用してもよく、セルラーネットワークにおいてＵＳＳＤプッシュを実施可能な領域で使用される。
【００６０】
一例において、本システムは、導入の際から直ちにＵＳＳＤ技術を使用し、広告の出稿を確認するためにのみＳＭＳを使用する。もう１つの例示において、本システムは、開始時から直ちにＳＭＳ技術を使用し、広告又は他の任意の適切な技術を確認するためにＵＳＳＤを使用する。
【００６１】
もう１つの例示において、スマートフォンを用いてインターネットにアクセスする方法、又は、後述するように、同様の情報をアップロードすることでユーザに広告を出稿させるスマートフォン上で動作するアプリケーションを有する方法が実施されてもよい。
【００６２】
代替として又は追加として、インターネットにアクセスするために移動体装置以外のコンピュータを用いて広告が出稿されてもよいことが認識される。
【００６３】
いずれにせよ、１つの例示的な実施形態において、ここで図１を参照すると、ＳＭＳは、ユーザ（すなわち広告主）に、「売ります」のような予め決められた語句をＳＭＳショートコードへ送信させることで、処理を開始する。いったんＳＭＳが送信されると、本システムは、ＭＳＩＳＤＮ（Mobile Station Integrated Services Digital Network）を記録する。これは、ユーザを識別するために使用され、移動体番号の形式を有する。いったんＳＭＳが受信されると、それはＵＳＳＤゲートウェイに送信され、ＵＳＳＤゲートウェイは、その後、ＵＳＳＤゲートウェイ及びＭＳＩＳＤＮの間のＵＳＳＤプッシュ型セッションを開く。このように、処理の多数のステップは、１つのセッションとしてともにまとめられ、このセッションは、セッションがユーザ又はＵＳＳＤゲートウェイによって終了されるまで不変である１つのセッションＩＤを共用する。
【００６４】
ユーザがはじめてＳＭＳを送信するとき（又は、ＵＳＳＤを用いて処理を開始するとき）、本システムは、ユーザのＭＳＩＳＤＮがシステムに登録されているか否かをチェックする。登録されている場合、ユーザは、その人がシステムの登録／許可されたユーザであることを確認するために、４桁のＰＩＮ（個人識別番号）を入力するように要求される。
【００６５】
代替として又は追加として、携帯電話機に関連付けられた指紋読み取り装置などを用いて、ユーザを識別するために生体認証が使用されてもよい。
【００６６】
ＭＳＩＳＤＮが認識されない場合、システムに登録するようにユーザに依頼するＵＳＳＤセッションが開始される。
【００６７】
登録の前に、ユーザは、システムを使用するために、規約及び条件にディジタル的に署名するように要求される。これを行う処理は、語句「ＹＥＳ」によって返答することであり、それはデータベースのブールフィールドに追加される。答えがＹＥＳであり、規約及び条件を受諾する場合、登録処理が開始する。
【００６８】
登録は、一連の規定の質問に対していくつかの答えを提供することからなる。それは、場所、ジェンダー、姓、名、言語、及び年齢を含んでもよく、家族又は友人に関する他の情報又は人物の仕事を含んでもよい。これらの答えはデータベースに格納される。
【００６９】
いったん情報が格納されると、ユーザは、品目又はサービスを売るか、借りるか、取り引きするための広告を出稿するオプションを有する。ユーザは、さらに、既存の広告のデータベースを検索するオプションを有するが、これは後で詳述する。これは、「売ります」又は「検索する」のような語句を送信することで行われ、それは、ユーザが広告を出稿するか又はデータベースを検索することを可能にする。
【００７０】
加入者は、当該加入者を識別するＭＳＩＳＤＮ（Mobile Station Integrated Services Digital Network）を有する。登録の際に、セキュリティ目的で４桁のＰＩＮ（個人識別番号）がシステムに追加され、これは他の人物がＭＳＩＳＤＮを用いて広告を出稿することを防ぐ。
【００７１】
ユーザは、彼らの場所を提供するように依頼され、これは、ＵＳＳＤセッションを用いて提供されるリストから選択される。代替として、場所は、ユーザの携帯電話機の場所を決定することにより決定されてもよい。
【００７２】
この場所情報の目的は、本システムがユーザの場所を格納し、この場所を用いてユーザに彼らの場所の最も近くの検索結果を提供することを可能にし、広告されている品目の集荷／を容易にすることにある。
【００７３】
広告を出稿するために、ユーザは、「出稿」、「広告」、又は「売ります」のような広告を出稿する語句のＳＭＳ又はＵＳＳＤ（又はＵＳＳＤセッションの場合のＵＳＳＤメニューオプション）をショートコードに送信する必要がある。これは、予め定義された語句であり、ＵＳＳＤプッシュセッションを開始する。ＵＳＳＤプッシュがユーザの領域においてアクティブではない場合、本処理はＳＭＳを使用し続けてもよい。
【００７４】
いったんセッションが開かれると、各カテゴリに数字が割り当てられている、予め定義された複数のカテゴリからなるリストがユーザに提示され、次いで、ユーザは、当該ユーザが広告することを希望するカテゴリに対応する数字を入力する。サブカテゴリの第２の選択があってもよく、ここで、ユーザは、主カテゴリに関するものと同じ手順を実行することを必要としてもよい。その後、ユーザは、彼らが売却／取り引き／オークションにかけることを希望する品目のためのタイトルを作成するように促される。これは短い文字数に制限される。いったんユーザがタイトル、例えば「新しい電話機を売ります」と入力すると、ユーザは、品目又はサービスの短い説明を追加するように促される。これも所定の文字数に制限される。説明は、例えば、「ＮＯＫＩＡ  ＬＵＭＩＮＡ＊箱付き＊不要な贈り物−２０ドル」であってもよい。
【００７５】
いったん広告が完成したとき、また、上述したように２次広告を付加した後で、ユーザに対して、データベースへの広告の格納に成功したことを知らせるプロンプトが表示される。いったん完成すると、ユーザは、広告を見るオプションを有する。ユーザは、品目が売られた場合に広告を削除する能力も有する。
【００７６】
広告は、本システムにおいて限られた寿命を有し、いったん予め定義された時間に達すると、広告はデータベースにおいて無効にされ、ユーザは、当該ユーザがその後もその広告を継続することを希望する場合には、それを元に戻すか又は言葉遣いを変更するオプションを有する。広告主には、限られた時間長においてのみ広告を表示するオプションも提供される。
【００７７】
ここで特に図１を参照すると、図２に示す方法を実施するためのシステムが示されている。図１のほとんどの構成要素は既に説明されたが、上位概念において、本システムは、複数の２次広告を格納するためにデータベースを備える。本システムはさらにプロセッサを備え、このプロセッサは、データベースにアクセスし、かつ図２を参照して上述した方法のステップを実行するサーバ（図１では「エコマーケットサーバ」のラベルを有する）の形態を有する。
【００７８】
データベースは、必要なテーブル及びルールを含み、ＳＭＳＣ（Short Message Service Centre）又はＵＳＳＤ（Unstructured Supplementary Service Data）ゲートウェイのいずれかからアクセスされてもよい。公知のように、ＵＳＳＤは、セッションに基づくプロトコルであり、情報について問い合わせてサービスをトリガするために使用され、一方、ＳＭＳ及びＭＭＳは蓄積交換に基づく。
【００７９】
明確さのために、移動体装置（すなわち、図１の加入者ハンドセット）及びＵＳＳＤゲートウェイの間で、一連の数字、すなわち、５、６、７、８、９、１１、１２、１３、及び１４上に矢印を示す。これらの数字は図２のブロックに対応し、したがって、移動体装置及びＵＳＳＤゲートウェイの間の通信の特性を表す。同様に、移動体装置及びＳＭＳＣの間に延在する矢印の隣の数字、すなわち１及び１４は、図２のブロック１及び１４に対応する。さらに同様に、ＵＳＳＤゲートウェイ及びサーバの間の矢印の隣りの数字３は、図２のブロック３に対応し、サーバ及びデータベースの間の矢印の隣りの数字１５は、図２のブロック１５に対応する。
【００８０】
上述した方法のさらなる例示的な実施形態は以下のとおりである。
【００８１】
以下のようなメッセージがＵＳＳＤ又はＳＭＳを介してユーザに送信されてもよい。
【００８２】
「＊１２０＊３２１＃にダイヤルしてＬｏｖｅｗｏｒｌｄ項目別小広告サービスに登録してください。アクセスは無料です。毎週１つの無料の項目別小広告（最大１６０文字）の資格がもらえます。」
【００８３】
ユーザが番号をダイヤルすると、当該ユーザは以下のメッセージを受信する。
【００８４】
「ＬＯＶＥＷＯＲＬＤ項目別小広告へようこそ
選択してください：
１−規約及び条件を見る
２−登録する」
【００８５】
２を選択すると、ユーザは以下のメッセージを受信する。
【００８６】
「あなた自身の個人の４桁のＰＩＮ番号を入力してＬｏｖｅｗｏｒｌｄ項目別小広告に登録してください。」
【００８７】
携帯電話機のユーザは（例えば）ＰＩＮ：１９８０を入力し、次のメッセージを受信する。
【００８８】
「あなたの４桁のＰＩＮを確認してください。」
【００８９】
携帯電話機のユーザは４桁のＰＩＮ：１９８０を確認し、次のメッセージを受信する。
【００９０】
「おめでとうございます！
あなたはＬｏｖｅｗｏｒｌｄ項目別小広告への登録に成功しました。
毎週金曜日に、１つの無料の項目別小広告（最大１６０文字）の資格がもらえます。
選択してください：
１−次へ進む」
【００９１】
携帯電話機のユーザがオプション：１を選択すると、当該ユーザは次のメッセージを受信する。
【００９２】
「毎週１つのみの無料の項目別小広告（最大１６０文字）の資格がもらることにご注意ください。いかなる追加の広告又は１６０文字を超える広告も、通常のＳＭＳレートで課金されます。
選択してください：
１−次へ進む」
【００９３】
携帯電話機のユーザがオプション：１を選択すると、当該ユーザは次のメッセージを受信する。
【００９４】
「ＬＯＶＥＷＯＲＬＤ項目別小広告へようこそ
選択してください：
１−項目別小広告を出稿する
２−項目別小広告を検索する
３−シグネチャ広告によって広告する
４−個人広告の履歴を見る
５−次へ進む」
【００９５】
ユーザが既に登録されていれば、当該ユーザは、セッションを起動するＵＳＳＤコード、例えば＊１２０＊３２１＃をダイヤルすることにより、登録後に広告を出稿してもよく、当該ユーザは次のメッセージを受信する。
【００９６】
「Ｌｏｖｅｗｏｒｌｄ項目別小広告へようこそ
あなたの４桁のＰＩＮを入力してください。」
【００９７】
移動体ユーザは当該ユーザのＰＩＮ：１９８０を入力し、上述したものと同じメッセージを受信する。
【００９８】
「ＬＯＶＥＷＯＲＬＤ項目別小広告へようこそ
選択してください：
１−項目別小広告を出稿する
２−項目別小広告を検索する
３−シグネチャ広告によって広告する
４−個人広告の履歴を見る
５−次へ進む」
【００９９】
携帯電話機のユーザがオプション：１を選択すると、当該ユーザは次のメッセージを受信する。
【０１００】
「あなたの項目別小広告を広告する領域を選択してください：
１−ハウテン州
２−リンポポ州
３−ムプマランガ州
４−クワズールー・ナタール州
５−東ケープ州
６−西ケープ州
７−北ケープ州
８−北西州
９−戻る」
【０１０１】
携帯電話機のユーザが例えばオプション１を選択すると、当該ユーザは次のメッセージを受信する。
【０１０２】
「あなたの項目別小広告を広告する郊外を選択してください：
１−Ｆｏｕｒｗａｙｓ
２−Ｒａｎｄｂｕｒｇ
３−Ｓａｎｄｔｏｎ
４−Ｂｒｙａｎｓｔｏｎ
５−Ｊｏｈａｎｎｅｓｂｕｒｇ  Ｃｅｎｔｒａｌ
６−Ｒｉｖｏｎｉａ
７−Ｇｅｒｍｉｓｔｏｎ
８−Ｋｅｍｐｔｏｎ  Ｐａｒｋ
９−次
１０−戻る」
【０１０３】
我々の例示において、携帯電話機のユーザはオプション８を選択し、次のメッセージを受信する。
【０１０４】
「広告するカテゴリを選択してください：
１−健康−美容
２−仕事
３−携帯電話機＆タブレット
４−電子機器
５−乗物
６−不動産
７−その他
８−戻る」
【０１０５】
我々の例示において、携帯電話機のユーザはオプション５を選択し、次のメッセージを受信する。
【０１０６】
「選択してください：
１−新車を売る
２−中古車を売る
３−新車を買いたい
４−中古車を買いたい
５−その他
６−戻る」
【０１０７】
我々の例示において、携帯電話機のユーザはオプション２を選択し、次のメッセージを受信する。
【０１０８】
「広告する自動車の製造元を選択してください：
１−Ｖｏｌｋｓｗａｇｅｎ
２−Ｔｏｙｏｔａ
３−ＢＭＷ
４−Ｍｅｒｃｅｄｅｓ−Ｂｅｎｚ
５−Ｋｉａ
６−Ｈｙｕｎｄａｉ
７−Ｃｈｅｖｒｏｌｅｔ
８−Ｆｏｒｄ
９−Ｎｉｓｓａｎ
１０−検索を改善する
１１−戻る
１２−次へ進む」
【０１０９】
我々の例示において、携帯電話機のユーザはオプション１を選択し、次のメッセージを受信する。
【０１１０】
「自動車の色を選択してください：
１−黒
２−赤
３−シルバー
４−ホワイト
５−シルバー
６−ゴールド
７−その他
８−その他
９−戻る」
【０１１１】
我々の例示において、携帯電話機のユーザはオプション２を選択し、次のメッセージを受信する。
【０１１２】
「選択してください：
１−自動車の走行距離（キロメートル）
２−自動車の走行距離（キロメートル）を知らない。
３−戻る」
【０１１３】
ユーザはオプション１を選択し、次のメッセージを受信する。
【０１１４】
「自動車の走行距離（キロメートル）を入力してください。」
【０１１５】
ユーザは例えば４１００を入力し、次のメッセージを受信する。
【０１１６】
「あなたの自動車は？
選択してください：
１−ガソリン
２−ディーゼル」
【０１１７】
ユーザはオプション１を選択し、次のメッセージを受信する。
【０１１８】
「あなたの自動車は？
選択してください：
１−マニュアル
２−オートマティック」
【０１１９】
ユーザはオプション１を選択し、次のメッセージを受信する。
【０１２０】
「あなたが希望する金額」
【０１２１】
ユーザは例えば１１０  ０００を入力する。
【０１２２】
代替として又は追加として、システムは、予め格納していれば、携帯電話機のユーザの詳細事項を広告に自動的に入力してもよい。それは、例えば、移動体番号、領域、売却又は購入、自動車の製造元、色、キロメートル、マニュアル又はオートマティック、自動車に使える金額、などである。その後、システムは、１６０字のうちどれだけの文字数が残っているかをユーザに示す。
【０１２３】
この例では、携帯電話機のユーザは次のメッセージを受信する：
【０１２４】
「最大１６０文字の項目別小広告を入力してください：
0833097381 Kempton Park Sell new Volkswagen Red 4100 Km Petrol Manual R110 000 
(83 characters left)」
（0833097381 Kempton Park 売却 新車 Volkswagen 赤 4100 Km ガソリン マニュアル R110 000）
（英文で残り８３文字）
【０１２５】
ユーザはここで「Polo 1.6 Comfort line 5dr Hatchback」（Polo 1.6 Comfort line ５ドア ハッチバック）を入力し、次のメッセージを受信する。
【０１２６】
「あなたの広告：
0833097381 Kempton Park 売却 新車 Volkswagen 赤 4100 Km ガソリン マニュアル Polo 1.6 Comfort line ５ドア ハッチバック 価格 R110 000
１−広告を出稿する
２−戻る」
【０１２７】
ユーザはオプション１を選択し、次のメッセージを受信する。
【０１２８】
「あなたの広告（参照番号１０１２３）を確認するために０８３３０９７３８１にＳＭＳを送りました。
１−戻る」
【０１２９】
この例では、ユーザは次のＳＭＳを受信する。
【０１３０】
「あなたの項目別小広告を確認するために、単にあなたの参照番号１０１２３を１２３へＳＭＳで送信してください。」
【０１３１】
この例では、参照番号１０１２３は広告主のコードであり、これにより、当該広告主は本システムにおいて広告を迅速に位置決めすることができる。
【０１３２】
上述のものに加えて、本システムは、広告の改善を自動的に提案してもよく、又は、要求を受けてから広告を自動的に書き直してもよい。さらに、ソフトウェアは、検索／広告するとき、より人気のあるカテゴリ（仕事、自宅など）を自動的に優先するか、又は、人気がないカテゴリを除去することができる。
【０１３３】
さらに、本システムは、悪口をフィルタリングしたり、例えば広告が不適切な場合に子供に転送されないように、広告を評価して広告に対して年齢カテゴリレーティングを適用したりするなど、適切な内容であるか否かについて広告をチェックしてもよい。
【０１３４】
本システムは、提案された価格を、又は他の広告の平均価格からの価格表示を自動的に表示することにより、価格を提示してもよい。
【０１３５】
２次広告に関しては、それは、本システムによって多数の場所のうちの１つ又は複数から取得可能である。
【０１３６】
例えば、移動体ネットワークは、例えば、あるカテゴリ又はサービスにおいて２次広告の広告主が存在しない場合、そこに当該ネットワークの自社ブランドを出稿すると決定することができる。
【０１３７】
個人又は会社は、本システムによって２次広告を直接的に出稿することができる。それらは、典型的には、ＵＳＳＤ又は任意の適切な技術を用いて本システムにアクセスし、２次広告を出稿し、例えばモバイルバンキングを用いて支払いをする。
【０１３８】
本システムは、２次広告を出稿するためにどのカテゴリ又はセクションがなお利用可能であるかを表示する。
【０１３９】
代替として又は追加として、２次広告を出稿するとき、広告主には異なるオプション、例えば、広告する特定のカテゴリを選択することが与えられる。
【０１４０】
２次広告は、カテゴリ又は領域又は任意の適切な場所の隣りに存在してもよい。
【０１４１】
２次広告は、本システムによってサーバにおいて１次広告に追加され、次に、組み合わせメッセージとしてＵＳＳＤ／ＳＭＳスイッチ又は任意の適切な技術に送信されてもよいことが認識される。この例では、ＵＳＳＤ／ＳＭＳの語句がカウントされ、シグネチャの語句もまた既知であり、本システムは、それがメッセージを切り詰めて、第２のメッセージとしてそれを送信する場合であっても、ＵＳＳＤ／ＳＭＳの長さを超過しないことを確かめる。
【０１４２】
２次広告は、顧客の通信装置にアップロードされるか又は予めロードされたソフトウェアを介して受信され、そこから抽出されてもよい。
【０１４３】
さらに、２次巻線広告は、ターゲットを定められた特定の複数のセグメントに分類され、循環的に送信されることが可能である。そのため、見る人が３つの広告を要求し、本システムがそのカテゴリで３つの２次広告を有する場合、彼らは同じものを２度見ることはなく、特定のターゲットセクションが広告を有しない場合、又は１つのみ有する場合、グローバルな署名ファイルが使用され、サービスを提供するサービスプロバイダ又はネットワークを広告してもよい。
【０１４４】
ここで図４を参照すると、本発明の第２の態様、すなわち、広告された製品又はサービスを、移動体装置及び関連する移動体技術を用いて検索する方法を説明する。本方法は、ブロック１に示すように、加入者に関連付けられた移動体装置から、広告を検索する電子的な要求を受信することを含む。その後、本方法は、ブロック２に示すように、加入者による選択のために複数の場所からなるマルチレベル集合を加入者に提示することにより、加入者の場所を決定することを含む。その後、加入者は、ブロック３に示すように、当該加入者が検索することを希望する製品又はサービスのカテゴリを選択することができる。その後、本方法は、ブロック４に示すように、検索される製品又はサービスに関する情報を入力するように加入者に促すプロンプトを提示し、次に、検索される製品又はサービスに関する情報を受信することを含む。
【０１４５】
製品又はサービスと一致するものを（図３に示すタイプの）データベースにおいて検索した後に、本方法は、情報を照合して、少なくとも１つの一致する製品又はサービスを含む１次広告を定義することを含む。その後、データベースから２次広告が抽出され、次に１次広告に付加されることで、要約された広告を定義する。これは図４のブロック５に記載されている。それは、１つのバージョンでは、１次広告のヘッダ（すなわち上部）、フッタ（すなわち下部）、又は中間に２次広告（すなわち、「新たなＦＯＲＤ車を見つけてください」）が付加されることも示す。
【０１４６】
ブロック５は、その後、要約された広告が加入者に送信され、次に加入者に対して、当該加入者が特に関心をもっている少なくとも１つの一致する製品又はサービスのうちの１つを選択するように促すプロンプトが提示されることにも言及している。これが行われた後、本方法はさらに、選択された製品又はサービスに関するさらなる情報をデータベースから抽出することを含む。さらなる情報は、広告の日付、広告主の場所、広告主の移動体装置の電話番号、広告されている製品又はサービス、及び関連するコストを含む。１つのバージョンでは、ブロック６に示すように、このステップは、データベースから抽出された情報を照合して詳細な広告を定義し、詳細な広告に２次広告を付加することで詳細な組み合わせ広告を定義し、詳細な組み合わせ広告を加入者に送信することを含む。この点に関して、詳細な広告に２次広告を付加するステップは、ブロック６に示すように、１次広告のフッタ（すなわち終了部）に２次広告を付加するステップを含む。
【０１４７】
以前に説明したように、２次広告は、理想的には、製品又はサービスのカテゴリ、及び／又は、検索されている製品又はサービスに関連又は関係している。しかしながら、１つのバージョンでは、検索される製品又はサービスに関する情報を入力するように加入者に促すプロンプトを提示するステップは、加入者に、すべての広告された製品又はサービスを検索させるステップを含む。加入者がすべての広告された製品又はサービスを検索することを希望している場合、２次広告がデータベースからランダムに選択される。
【０１４８】
一実施形態では、限られた長さ、及びしたがって、２次広告に関して提供可能な限られた情報量を考慮して、本方法は、加入者に、２次広告に関するさらなる情報を要求させることを含む。このことは、加入者が使用してもよいさらなる事項及び／又は連絡先の詳細事項、及び／又は、さらなる詳細事項を含むウェブサイトへのＵＲＬリンクを含む、メッセージを送信することを含んでもよい。
【０１４９】
したがって、使用時には、ここで図３を参照すると、ユーザがデータベースに格納された広告を検索することを希望する場合、「検索する」のような予め決められたアクション語句が、ＳＭＳによって、又はＵＳＳＤセッションを開始してそれに応じて応答することによって、指定されたショートコードに送信されてもよい。いったんこれが行われると、ＵＳＳＤセッションが開かれ、加入者には、当該加入者がまだ登録されいていない場合には（上述したように）登録するように促すプロンプトが提示されてもよい。加入者が登録されている場合、加入者には、各カテゴリが番号にリンクされている、複数のカテゴリからなるリストが提示される。いったん彼らが対応する番号を選択すると、加入者にはサブカテゴリが提示されてもよい。いったん加入者がサブカテゴリを選択すると、検索機能は、検索に一致したものからなるリストを加入者に提示する。リストは、一致する広告の見出しを含み、それらはそれぞれ、リンクした識別子（この場合、文字Ａ〜Ｄは、「売り物のＪｅｅｐ」、「Ｈｏｎｄａ  Ｍｕｓｔ  Ｇｏ」、「最良のユーザ自動車」、及び「トラックの販売」にそれぞれ対応する）を有する。
【０１５０】
便利なことに、本システムは、検索結果を自動的にフィルタリングし、加入者の場所に最も近接する結果を表示してもよい。これは、品物の／集荷を容易にする。
【０１５１】
関連する識別子を選択した後、完全な広告（典型的にはＳＭＳのフォームを有する）が加入者に送信される。完全な広告は、タイトル、本文、広告がデータベースにアップロードされた日付、売り主のＭＳＩＳＤＮを含む。ＳＭＳは２次広告をさらに含み、それは、上述したように、ＳＭＳの終了部に追加される広告である。この広告は、関連するフィルタリング処理によって選択され、循環システムで出稿される。これは、加入者が中古車を検索している場合、例えば、加入者が同じカテゴリ内で検索していても、加入者が各時間において異なる２次広告を見るであろうことを意味する。さらに、２次広告は、広告主又は見る人の場所に基づいて選択可能であり、これは、乗物を入力又は検索する場合に彼らの選択に依存して、又は代替として彼らの携帯電話機の場所を用いることによって選択可能である。見る人が場所を変更する場合には、２次広告は動的に更新する。
【０１５２】
上述したように、限られた長さ、及びしたがって、２次広告に関して提供可能な限られた情報量を考慮して、本方法は、加入者に、２次広告に関するさらなる情報を要求させることを含む。このことは、加入者が使用してもよいさらなる事項及び／又は連絡先の詳細事項、及び／又は、さらなる詳細事項を含むウェブサイトへのＵＲＬリンクを含む、メッセージを送信することを含んでもよい。
【０１５３】
さらに、広告を出稿する前に、本システムは、広告がインターネット／ウェブサイト又は将来の技術などにおいて複製されないことを保証するために、移動体番号、又はネットワークもしくは広告主によって決定された任意の形態の識別情報を使用してもよい。
【０１５４】
ここで、ＵＳＳＤを用いて移動体の項目別小広告において検索を行うもう１つの例を説明する。
【０１５５】
移動体ユーザは、セッションを起動するためにＵＳＳＤコード：＊１２０＊３２１＃をダイヤルし、次のメッセージを受信する。
【０１５６】
「Ｌｏｖｅｗｏｒｌｄ項目別小広告へようこそ
あなたの４桁のＰＩＮを入力してください。」
【０１５７】
携帯電話機ユーザはＰＩＮ：１９８０を入力し、次のメッセージを受信する。
【０１５８】
「ＬＯＶＥＷＯＲＬＤ項目別小広告へようこそ
選択してください：
１−項目別小広告を出稿する
２−項目別小広告を検索する
３−シグネチャ広告によって広告する
４−個人広告の履歴を見る
５−次へ進む」
【０１５９】
ユーザはここではオプション２を選択し、次のメッセージを受信する。
【０１６０】
「検索する
選択してください：
１−全国
２−ハウテン州
３−リンポポ州
４−ムプマランガ州
５−クワズールー・ナタール州
６−東ケープ州
７−西ケープ州
８−北ケープ州
９−北西州
１０−戻る」
【０１６１】
ユーザが例えばオプション２を選択する場合、当該ユーザは次のメッセージを受信する。
【０１６２】
「検索する
選択してください：
１−健康−美容
２−仕事
３−携帯電話機＆タブレット
４−電子機器
５−乗物
６−不動産
７−その他
８−戻る」
【０１６３】
彼らがここでオプション５を選択する場合、次のメッセージを受信する。
【０１６４】
「移動体ユーザは次のメッセージを受信する：
検索する
選択してください：
１−新車を買う
２−中古車を買う
３−新車を売る
４−中古車を売る
５−その他
６−戻る」
【０１６５】
ユーザはオプション２を選択し、次のメッセージを受信する。
【０１６６】
「検索する
選択してください：
１−Ｖｏｌｋｓｗａｇｅｎ
２−Ｔｏｙｏｔａ
３−ＢＭＷ
４−Ｍｅｒｃｅｄｅｓ−Ｂｅｎｚ
５−Ｋｉａ
６−Ｈｙｕｎｄａｉ
７−Ｃｈｅｖｒｏｌｅｔ
８−Ｆｏｒｄ
９−Ｎｉｓｓａｎ
１０−検索を改善する
１１−戻る
１２−次へ進む」
【０１６７】
ユーザがオプション１を選択する場合、次のメッセージを受信する。
【０１６８】
「選択してください：
１−Ｂｕｒｇｕｎｄｙ  ＶＷ  Ｐｏｌｏ  １．４  ８９０００ｋｍ  ２００１
２−ＶＷ  Ｐｏｌｏ  １．２  ２０１３  ディーゼル  ハッチバック
３−ＶＷ  Ｐｏｌｏ  Ｖｉｖｏ  １．４  Ｔｒｅｎｄ  ２０１３
４−ＶＷ  Ｍｉｃｒｏｂｕｓ  １９９９  バス
５−ＶＷ  Ｐｏｌｏ  １．６  Ｃｏｍｆｏｒｔ  ｌｉｎｅ  ５ドア  ２０１４
６−戻る
７−次へ進む
８−あなたの乗物に融資する」
【０１６９】
われわれの例では、ユーザはオプション５を選択し、移動体ユーザは次のＵＳＳＤを受信する。
【０１７０】
「２０１４  Ｖｏｌｋｓｗａｇｅｎ  Ｐｏｌｏ  １．６  Ｃｏｍｆｏｒｔ  ｌｉｎｅ  ５ドア  ガソリン  マニュアル  シルバー  Ｒａｎｄｂｕｒｇ  ハッチバック  ７４２ｋｍ  電話  Ｊｏｈｎ  ０１４９４００１４８  −  ＦＩＮＡＮＣＥ  ＠  ＷＥＳＢＡＮＫ
１−戻る」
【０１７１】
この例での２次広告は、Ｗｅｓｂａｎｋ広告の金融である。
【０１７２】
上述のものに加えて、いったんユーザが広告を選択すると、組み合わせ広告が、予め取り込まれたユーザの電子メールアドレスに電子メールで送信される。これは、ＵＳＳＤセッションが満了してユーザが情報を失い、従ってこの方法で、ユーザが後の時点で広告及び２次広告にアクセスすることができるからである。
【０１７３】
利用可能な製品が存在しない場合、本システムは、要求を格納し、将来の時点で製品が利用可能になったとき、適切な広告を２次広告とともに任意の適切な通信手段を介してユーザに送信する。
【０１７４】
検索する人によって他の検索技術が使用されてもよいことが認識される。例えば、上述したように顧客が語句又はカテゴリ番号をサーバに送信／ダイヤル／発話することができる場合、検索はＵＳＳＤを介して実施可能であり、次に、サーバは、ネットワーク能力に依存して、ＵＳＳＤ及びＳＭＳのいずれかを介して応答し、それに代わって、このタスクを行なうためにハイブリッドシステムが使用されてもよい。例えば、ＵＳＳＤを送信することができ、返信はＵＳＳＤメニューシステムを介して複数のカテゴリにわたって移動してもよい。
【０１７５】
ユーザは、ウェブサイトからブラウズし、電子メールを介して、あるいは、ユーザがわれわれの検索機能へデータを入力できるようにするアプリケーションを介して、広告を送ることもできる。後者の場合、検索機能はデータベースに問い合わせる。
【０１７６】
一例では、広告は、ユーザが選択した言語でユーザに対して再生されその結果、ユーザは、広告を読むことを必要とせず、広告を聞く。
【０１７７】
ユーザに出稿された広告が許容された長さより短い場合、本システムは、２次広告のサイズを自動的に増大する。
【０１７８】
ＵＳＳＤの文字列は、ユーザを製品及び／又はサービスのウェブサイトに向かわせるためのリンクを含んでもよい。
【０１７９】
ＵＳＳＤ、ＳＭＳ、ＭＭＳ、インターネット、又は音声、又は人間の介入がない任意の形態の通信によって、広告はユーザに配信されてもよいことが認識される。
【０１８０】
多数の広告が表示される場合、典型的には、最も新しく投稿された広告が最初に表示される。
【０１８１】
ここで特に図３を参照すると、図４に示す方法を実施するためのシステムが示されている。図３の構成要素のうちのほとんどは既に説明されたが、上位概念において、本システムは、複数の広告された製品及びサービスと、複数の２次広告とを格納するデータベースを備える。本システムはさらにプロセッサを備え、このプロセッサは、データベースにアクセスし、かつ図４を参照して上述した方法のステップを実行するサーバ（図３では「エコマーケットサーバ」のラベルを有する）の形態を有する。再び、上述したように、データベースは、必要なテーブル及びルールを含み、ＳＭＳＣ（Short Message Service Centre）又はＵＳＳＤ（Unstructured Supplementary Service Data）ゲートウェイのいずれかからアクセスされてもよい。
【０１８２】
明確さのために、移動体装置（すなわち、図１の加入者ハンドセット）及びＵＳＳＤゲートウェイの間で、一連の数字、すなわち、２、３、及び４上に矢印を示す。これらの数字は図４のブロックに対応し、したがって、移動体装置及びＵＳＳＤゲートウェイの間の通信の特性を表す。同様に、移動体装置及びＳＭＳＣの間に延在する矢印の隣の数字、すなわち１及び６は、図２のブロック１及び６に対応する。
【０１８３】
明らかに、移動体装置のみを参照したが、図２及び図４を参照して上述した方法を実施するために、インターネットに基づいたウェブサイト又はスマートフォンアプリケーションが使用されてもよいことが理解されるべきである。
【０１８４】
ユーザに広告された製品又はサービスの画像又はビデオを見せることに関して、これはユーザの電話機に直接的に送信されてもよく、又は、インターネットリンクが電話機に送信されてもよい。
【０１８５】
代替として又は追加として、ユーザは、１次広告又は２次広告の画像又はビデオが、任意の形態の適切な通信を介して、コストをかけて、又はコストをかけずに送信されるように要求することもできる。
【０１８６】
この点では、それによってコンピュータで生成した知覚の入力（音、ビデオ、グラフィックス又はＧＰＳのデータ）によってその素子が増大される（又は補足された）、物理的で現実世界の環境についてのライブ間接式の図が使用される拡張現実感は使用されてもよい。
【０１８７】
上述したものに加えて、ＵＳＳＤによって言語を選択するオプションがユーザに与えられ、その後、彼らが選択した言語で広告が彼らに配信されるように、言語変換器が含まれる。
【０１８８】
代替として又は追加として、ユーザは、例えば、広告を見るために携帯電話機に取り付けられたか埋め込まれたピコプロジェクターを用いて、彼らの携帯電話機を見てもよい。
【０１８９】
広告を出稿するために、１次広告主及び２次広告主の両方が課金されることが可能であるということが認識される。
【０１９０】
本システムは、購入オプションを選択してこのことをシステムに通知するメッセージを送信することにより、ユーザに、広告された製品及び／又はサービスを購入させるオプションを含んでもよい。
【０１９１】
一例において、本システムは、製品又はサービスをユーザに自動的に推薦するようにセットアップされる。例えば、ユーザが探している仕事が広告される場合、彼らはシステムからアラートを受信する。
【０１９２】
このシナリオにおいて、製品及び／又はサービスに対する支払いは、ユーザから取得される必要がある。これは、ユーザにモバイルバンキングアプリケーションを指示すること、又はクレジットカードの詳細事項を入力すること、又はインターネットに基づく環境においてユーザをＰａｙｐａｌのような支払いウェブサイトへ向かわせることを含む、多数の方法のうちのいずれか１つで取得されてもよい。可能であれば、ユーザの携帯電話機のアカウントに直接的に請求可能である。
【０１９３】
検索に関して、ユーザがキーワードを用いて検索する場合、本システムは、ユーザの過去の好み又は嫌いなもの又は検索履歴に基づいてさらなるキーワードを提案してもよい。
【０１９４】
顧客によって借りられたか所有された製品が修理又は交換を必要とするとき、製品は、広告された製品又はサービスを自動的に検索することができる通信装置と通信し、最良の価格、品質、ブランドなどについて顧客へ提案する。
【０１９５】
本システムは、特定の国のために実装されてもよく、又は、多数の国にサービスする１つのシステムを用いて実装されてもよいことが認識される。
【図１】
2017513163.tif 000003
【図２】
2017513163.tif 000004
【図３】
2017513163.tif 000005
【図４】
2017513163.tif 000006
【国際調査報告】
2017513163.tif 000007
2017513163.tif 000008
2017513163.tif 000009
2017513163.tif 000010